(57)【要約】【課題】観察者が立体視画像の奥行量を容易かつ正確に把握することができるようにする。【解決手段】互いに異なる２つの撮影方向からの被写体の撮影による撮影方向毎の２つの画像を取得する画像取得部と、画像取得部により取得された２つの画像に基づいて立体視可能な立体視画像を表示する表示部とを備えた立体視画像表示装置において、表示部が、立体視画像の奥行情報を表すスケールを立体視表示するものとする。【選択図】図５
2012247685.tif 000002
【特許請求の範囲】
【請求項１】
互いに異なる２つの撮影方向からの被写体の撮影による前記撮影方向毎の２つの画像を取得する画像取得部と、該画像取得部により取得された２つの画像に基づいて立体視可能な立体視画像を表示する表示部とを備えた立体視画像表示装置において、
前記表示部が、前記立体視画像の奥行情報を表すスケールを立体視表示するものであることを特徴とする立体視画像表示装置。
【請求項２】
前記画像取得部によって取得された２つの画像に対して拡縮処理を施す拡縮処理部を備え、
前記表示部が、前記拡縮処理部によって拡縮処理の施された２つの画像を立体視画像として表示するものであるとともに、前記拡縮処理の拡縮率に基づいて、前記拡縮処理後の立体視画像の奥行情報を表すスケールを立体視表示するものであることを特徴とする請求項１記載の立体視画像表示装置。
【請求項３】
前記拡縮処理の施された２つの画像に対して、該拡縮処理の拡縮率に基づいて視差方向についてシフト処理を施すシフト処理部を備え、
前記表示部が、前記シフト処理の施された２つの画像を用いて前記立体視画像を表示するものであるとともに、前記拡縮率と前記シフト処理のシフト量とに基づいて前記スケールを表示するものであることを特徴とする請求項２記載の立体視画像表示装置。
【請求項４】
前記シフト処理部が、前記拡縮処理後の２つの画像間の視差量が前記拡縮処理前の２つの画像間の視差量に近づくようにシフト処理を施すものであることを特徴とする請求項３記載の立体視画像表示装置。
【請求項５】
前記拡縮処理の指示を受け付ける拡縮指示受付部を備え、
前記拡縮処理部が、前記拡縮指示受付部によって前記拡縮処理の指示を受け付けた際に前記拡縮処理を行うものであることを特徴とする請求項２から４いずれか１項記載の立体視画像表示装置。
【請求項６】
前記表示部が、前記拡縮率に応じて前記スケールの目盛の幅を変更するものであることを特徴とする請求項２から５いずれか１項記載の立体視画像表示装置。
【請求項７】
前記表示部が、前記２つの画像に基づく立体視画像と前記スケールとを異なる色で表示するものであることを特徴とする請求項１から６いずれか１項記載の立体視画像表示装置。
【請求項８】
前記スケールの表示位置の入力を受け付けるスケール表示位置受付部を備え、
前記表示部が、前記スケール表示位置受付部によって受け付けられた表示位置に前記スケールを表示するものであることを特徴とする請求項１から７いずれか１項記載の立体視画像表示装置。
【請求項９】
互いに異なる２つの撮影方向からの被写体の撮影による前記撮影方向毎の２つの画像を取得し、該取得した２つの画像に基づいて立体視可能な立体視画像を表示する立体視画像表示方法において、
前記立体視画像の奥行情報を表すスケールを立体視表示することを特徴とする立体視画像表示方法。
【発明の詳細な説明】
【技術分野】
【０００１】
本発明は、互いに異なる２つの撮影方向からの被写体の撮影によって取得された撮影方向毎の２つの画像を用いて立体視可能な立体視画像を表示する立体視画像表示方法および装置に関するものである。
【背景技術】
【０００２】
従来、複数の画像を組み合わせて表示することにより、視差を利用して立体視できることが知られている。このような立体視できる画像（以下、立体視画像またはステレオ画像という）は、同一の被写体を異なる位置から撮影して取得された互いに視差のある複数の画像に基づいて表示される。
【０００３】
そして、このような立体視画像の表示は、デジタルカメラやテレビなどの分野だけでなく、放射線画像撮影の分野においても利用されている。すなわち、被験者に対して互いに異なる方向から放射線を照射し、その被験者を透過した放射線を放射線画像検出器によりそれぞれ検出して互いに視差のある複数の放射線画像を取得し、これらの放射線画像に基づいて立体視画像を表示することが行われている。
【０００４】
そして、放射線診断画像の読影においては、とくに骨や血管の走行等の解剖学的に奥行方向に分布をもつ関心領域や、結節・腫瘤等の奥行方向の広がりを診断対象とする場合に立体視画像を表示することが有効である。
【０００５】
また、表示された立体視画像に基づいて実際の診断を行う際には、所定の注目部位の正確な寸法や距離などが必要とされる場合がある。
【０００６】
そこで、たとえば、特許文献１においては、注目部位の寸法などを正確に計測するために、立体視画像とともにその注目部位を含むモニタ表示面に平行な面上に沿って互いに直交するＸ−Ｙ方向に延びるスケールを表示することが提案されている。
【先行技術文献】
【特許文献】
【０００７】
【特許文献１】特開２００５−１３６７２６号公報
【発明の概要】
【発明が解決しようとする課題】
【０００８】
しかしながら、特許文献１において表示されるスケールを用いた場合、注目部位のＸ−Ｙ方向の寸法などは計測することができるが、注目部位の奥行方向（Ｚ方向）の寸法などについては計測することができない。
【０００９】
また、たとえば、立体視画像を拡大表示したり、縮小表示したりした場合には、観察者の立体視画像の奥行感が見失われることがあり、このような場合、観察者は、拡縮後の立体視画像の奥行量を容易かつ正確に把握することができない。
【００１０】
本発明は、上記の事情に鑑み、観察者が立体視画像の奥行量を容易かつ正確に把握することができる立体視画像表示方法および装置を提供することを目的とする。
【課題を解決するための手段】
【００１１】
本発明の立体視画像表示装置は、互いに異なる２つの撮影方向からの被写体の撮影による撮影方向毎の２つの画像を取得する画像取得部と、画像取得部により取得された２つの画像に基づいて立体視可能な立体視画像を表示する表示部とを備えた立体視画像表示装置において、表示部が、立体視画像の奥行情報を表すスケールを立体視表示するものであることを特徴とする。
【００１２】
また、上記本発明の立体視画像表示装置においては、画像取得部によって取得された２つの画像に対して拡縮処理を施す拡縮処理部を設け、表示部を、拡縮処理部によって拡縮処理の施された２つの画像を立体視画像として表示するものとし、上記拡縮処理の拡縮率に基づいて、拡縮処理後の立体視画像の奥行情報を表すスケールを立体視表示するものとできる。
【００１３】
また、拡縮処理の施された２つの画像に対して、該拡縮処理の拡縮率に基づいて視差方向についてシフト処理を施すシフト処理部を設け、表示部を、シフト処理の施された２つの画像を用いて立体視画像を表示するものとし、上記拡縮率とシフト処理のシフト量とに基づいてスケールを表示するものできる。
【００１４】
また、シフト処理部を、拡縮処理後の２つの画像間の視差量が拡縮処理前の２つの画像間の視差量に近づくようにシフト処理を施すものとできる。
【００１５】
また、拡縮処理の指示を受け付ける拡縮指示受付部を設け、拡縮処理部を、拡縮指示受付部によって拡縮処理の指示を受け付けた際に拡縮処理を行うものとできる。
【００１６】
また、表示部を、拡縮率に応じてスケールの目盛の幅を変更するものとできる。
【００１７】
また、表示部を、２つの画像に基づく立体視画像とスケールとを異なる色で表示するものとできる。
【００１８】
また、スケールの表示位置の入力を受け付けるスケール表示位置受付部を設け、表示部を、スケール表示位置受付部によって受け付けられた表示位置にスケールを表示するものとできる。
【００１９】
本発明の立体視画像表示方法は、互いに異なる２つの撮影方向からの被写体の撮影による撮影方向毎の２つの画像を取得し、その取得した２つの画像に基づいて立体視可能な立体視画像を表示する立体視画像表示方法において、立体視画像の奥行情報を表すスケールを立体視表示することを特徴とする。
【発明の効果】
【００２０】
本発明の立体視画像表示方法および装置によれば、互いに異なる２つの撮影方向から撮影された２つの画像に基づいて立体視可能な立体視画像を表示するとともに、その立体視画像の奥行情報を表すスケールを立体視表示するようにしたので、観察者が立体視画像の奥行量を容易かつ正確に把握することができる。
【００２１】
また、上記本発明の立体視画像表示方法および装置において、拡縮処理の施された２つの画像を立体視画像として表示するとともに、その拡縮処理の拡縮率に基づいて、拡縮処理後の立体視画像の奥行情報を表すスケールを立体視表示するようにした場合には、拡縮処理によって立体視画像の奥行量が拡縮前のものとは変化したとしても、観察者が拡縮前の奥行感を見失うことなく、拡縮後の立体視画像の奥行量を容易かつ正確に把握させることができる。
【００２２】
また、拡縮処理の施された２つの画像に対して、その拡縮処理の拡縮率に基づいて視差方向についてシフト処理を施し、そのシフト処理の施された２つの画像を用いて立体視画像を表示するようにした場合には、拡縮処理によって立体視画像の飛び出し量が変化することによって観察者の立体視が崩れてしまうのを防止することができ、拡縮処理の前後で観察者が立体視を維持することができる。
【００２３】
そして、さらに拡縮処理の拡縮率とシフト処理のシフト量とに基づいてスケールを表示するようにした場合には、拡縮処理の前後で立体視画像のサイズとスケールの目盛との相対的な関係を維持することができるので、観察者は奥行感を失うことなく、正確な奥行量を把握することができる。
【図面の簡単な説明】
【００２４】
【図１】本発明の立体視画像表示装置の一実施形態を用いた乳房画像撮影表示システムの概略構成図
【図２】図１に示す乳房画像撮影表示システムにおいて回転アーム部を撮影角度θだけ傾けた状態を示す図
【図３】図１に示す乳房画像撮影表示システムのコンピュータ内部の概略構成を示すブロック図
【図４】本発明の立体視画像表示装置の一実施形態を用いた乳房画像撮影表示システムの作用を説明するためのフローチャート
【図５】右目用放射線画像と左目用放射線画像とステレオ画像との一例を模式的に示す図
【図６】立体視画像を拡縮した際の飛び出し量の変化を説明するための図
【図７】拡大された右目用放射線画像および右目用スケールと、拡大された左目用放射線画像および左目用スケールとの一例を模式的に示す図
【図８】拡大されたステレオ画像と奥行方向のスケールとの一例を模式的に示す図
【図９】拡縮前のステレオ画像および奥行方向のスケールと、拡大後のステレオ画像および奥行方向のスケールと、縮小後のステレオ画像および奥行方向のスケールとを側方からみたときのイメージ図
【発明を実施するための形態】
【００２５】
以下、図面を参照して本発明の立体視画像表示装置の一実施形態を用いた乳房画像撮影表示システムについて説明する。図１は、本実施形態の乳房画像撮影表示システム全体の概略構成を示す図である。
【００２６】
本実施形態の乳房画像撮影表示システムは、図１に示すように、乳房画像撮影装置１と、乳房画像撮影装置１に接続されたコンピュータ２と、コンピュータ２に接続されたモニタ３および入力部４とを備えている。
【００２７】
そして、乳房画像撮影装置１は、図１に示すように、基台２１と、基台２１に対し上下方向（Ｚ方向）に移動可能であり、かつ回転可能な回転軸１２と、回転軸１２により基台２１と連結されたアーム部１３を備えている。なお、図２には、図１の右方向から見たアーム部１３を示している。
【００２８】
アーム部１３はアルファベットのＣの形をしており、その一端には撮影台１４が、その他端には撮影台１４と対向するように放射線源ユニット１６が取り付けられている。アーム部１３の上下方向の移動は、基台２１に組み込まれたアームコントローラ３１により制御される。
【００２９】
撮影台１４の内部には、フラットパネルディテクタ等の放射線画像検出器１５と、放射線画像検出器１５からの電荷信号の読み出しなどを制御する検出器コントローラ３３が備えられている。
【００３０】
また、撮影台１４の内部には、放射線画像検出器１５から読み出された電荷信号を電圧信号に変換するチャージアンプや、チャージアンプから出力された電圧信号をサンプリングする相関２重サンプリング回路や、電圧信号をデジタル信号に変換するＡＤ変換部などが設けられた回路基板なども設置されている。
【００３１】
放射線画像検出器１５は、放射線画像の記録と読出しを繰り返して行うことができるものであり、放射線の照射を直接受けて電荷を発生する、いわゆる直接型の放射線画像検出器を用いてもよいし、放射線を一旦可視光に変換してその可視光を電荷信号に変換する、いわゆる間接型の放射線画像検出器を用いるようにしてもよい。また、放射線画像信号の読出方式としては、ＴＦＴ（thin film transistor）スイッチをオン・オフされることによって放射線画像信号が読みだされる、いわゆるＴＦＴ読出方式のものや、読取光を照射することによって放射線画像信号が読み出される、いわゆる光読出方式のものを用いることが望ましいが、これに限らずその他のものを用いるようにしてもよい。
【００３２】
放射線源ユニット１６の中には放射線源１７と、放射線源コントローラ３２が収納されている。放射線源コントローラ３２は、放射線源１７から放射線を照射するタイミングと、放射線源１７における放射線発生条件（管電流、時間、管電圧等）を制御するものである。
【００３３】
また、アーム部１３の中央部には、撮影台１４の上方に配置されて乳房を押さえつけて圧迫する圧迫板１８と、その圧迫板１８を支持する支持部２０と、支持部２０を上下方向に移動させる移動機構１９が設けられている。圧迫板１８の位置、圧迫圧は、圧迫板コントローラ３４により制御される。
【００３４】
コンピュータ２は、中央処理装置（ＣＰＵ）および半導体メモリやハードディスクやＳＳＤ等のストレージデバイスなどを備えており、これらのハードウェアによって、図３に示すような制御部４０、放射線画像記憶部４１、拡縮処理部４２、シフト処理部４３、放射線画像表示制御部４４およびスケール表示制御部４５が構成されている。
【００３５】
制御部４０は、各種のコントローラ３１〜３５に対して所定の制御信号を出力し、システム全体の制御を行うものである。具体的な制御方法については後で詳述する。
【００３６】
放射線画像記憶部４１は、互いに異なる２つの撮影方向からの撮影によって放射線画像検出器１５によって検出された２枚の放射線画像信号を予め記憶するものである。
【００３７】
拡縮処理部４２は、入力部４において受け付けられた拡大表示指示または縮小表示指示に応じて放射線画像記憶部４１に記憶された２枚の放射線画像信号に対して拡大処理または縮小処理を施すものである。
【００３８】
シフト処理部４３は、拡縮処理部４２において２つの画像に対して施される拡縮処理の拡縮率に応じて、２つの画像に対して各画像を視差方向についてシフトするシフト処理を施すものである。具体的には、シフト処理部４３は、拡縮処理部４２において拡大処理が施された場合には、拡大後の２つの画像の視差量が拡大前の２つの画像の視差量に近づくように拡大後の２つの画像の視差量を小さくするものである。
【００３９】
一方、シフト処理部４３は、拡縮処理部４２において縮小処理が施された場合には、縮小後の２つの画像の視差量が縮小前の２つの画像の視差量に近づくように縮小後の２つの画像の視差量を大きくするものである。
【００４０】
本実施形態のシフト処理部４３は、特に、拡大処理または縮小処理後の２つの画像の視差量が、拡大処理または縮小処理前の２つの画像の視差量と同じになるように拡縮処理後の２つの画像にシフト処理を施すものである。
【００４１】
なお、拡縮処理前の視差量については、放射線源１７の焦点と放射線画像検出器１５との距離、乳房と放射線画像検出器１５との距離および２つの放射線画像の撮影角度に基づいて予め算出されて設定されているものとする。
【００４２】
放射線画像表示制御部４４は、放射線画像記憶部４１から読み出された放射線画像信号に対して所定の信号処理を施した後、モニタ３に被検者Ｍの乳房のステレオ画像を表示させるものである。
【００４３】
また、放射線画像表示制御部４４は、入力部４において拡大表示指示または縮小表示指示の入力が受け付けられた場合には、拡縮処理部４２において拡大処理または縮小処理が施され、さらにシフト処理部４３においてシフト処理の施された２枚の放射線画像信号に対して所定の信号処理を施した後、モニタ３に拡大された乳房のステレオ画像または縮小された乳房のステレオ画像を表示させるものである。
【００４４】
スケール表示制御部４５は、モニタ３に表示された乳房のステレオ画像の奥行情報（ｚ方向の情報）をスケールで表示させるものである。具体的には、立体視表示されるスケールを構成する、左右方向に相対的な視差量を有する右目用スケール画像信号と左目用スケール画像信号とを生成し、これらをモニタ３にそれぞれ表示させることによって立体視可能なスケールを表示させるものである。なお、このスケールの表示については、後で詳述する。
【００４５】
入力部４は、たとえば、キーボードやマウスなどのポインティングデバイスから構成されるものであり、撮影条件や撮影開始指示や拡縮処理の指示などの入力を受け付けるものである。
【００４６】
モニタ３は、コンピュータ２の放射線画像表示制御部４４から出力された表示制御信号に基づいて乳房のステレオ画像を表示するとともに、スケール表示制御部４５から出力された表示制御信号に基づいて乳房のステレオ画像とともに上述したスケールを表示するものである。モニタ３の構成としては、たとえば、２つのモニタを用いてこれらに２つの放射線画像をそれぞれ表示させて、これらをハーフミラーや偏光グラスなどを用いることで一方の放射線画像は観察者の右目に入射させ、他方の放射線画像は観察者の左目に入射させることによってステレオ画像を表示する構成を採用することができる。または、たとえば、２つの放射線画像を所定の視差量だけずらして重ね合わせて表示し、これを偏光グラスで観察することでステレオ画像を生成する構成としてもよいし、もしくはパララックスバリア方式およびレンチキュラー方式のように、２つの放射線画像を立体視可能な３Ｄ液晶に表示することによってステレオ画像を生成する構成としてもよい。
【００４７】
次に、本実施形態の乳房画像撮影表示システムの作用について、図４に示すフローチャートを参照しながら説明する。
【００４８】
まず、撮影台１４の上に患者の乳房Ｍが設置され、圧迫板１８により乳房Ｍが所定の圧力によって圧迫される（Ｓ１０）。
【００４９】
そして、入力部４において撮影開始の指示があると乳房Ｍのステレオ画像を構成する２枚の放射線画像のうちの１枚目の放射線画像の撮影が行われる（Ｓ１２）。
【００５０】
具体的には、まず、制御部４０が、予め設定されたステレオ画像の撮影のための撮影角度θを読み出し、その読み出した撮影角度θの情報をアームコントローラ３１に出力する。なお、本実施形態においては、このときの撮影角度θの情報としてθ＝０°とθ＝４°が予め記憶されているものとするが、これに限らず、撮影者によって入力部４において任意の撮影角度を設定可能である。
【００５１】
そして、アームコントローラ３１において、制御部４０から出力された撮影角度θ＝０°とθ＝４°の情報が受け付けられ、アームコントローラ３１は、まず、θ＝０°の情報に基づいて、図２に示すようにアーム部１３が撮影台１４に対して垂直な方向となるように制御信号を出力する。
【００５２】
そして、アーム部１３が撮影台１４に対して垂直な方向となった状態において、制御部４０は、放射線源コントローラ３２および検出器コントローラ３３に対して放射線の照射と放射線画像信号の読出しを行うよう制御信号を出力する。この制御信号に応じて、放射線源１７から放射線が射出され、乳房を０°方向から撮影した放射線画像が放射線画像検出器１５によって検出され、検出器コントローラ３３によって放射線画像信号が読み出され、その放射線画像信号に対して所定の信号処理が施された後、コンピュータ２の放射線画像記憶部４１に記憶される。
【００５３】
続いて、制御部４０は、ステレオ画像を構成する２枚の放射線画像のうちの２枚目の放射線画像の撮影を行う（Ｓ１４）。
【００５４】
具体的には、アームコントローラ３１は、図２に示すように、アーム部１３を撮影台１４に垂直な方向に対して＋θ°回転するよう制御信号を出力する。すなわち、本実施形態においては、アーム部１３を撮影台１４に垂直な方向に対して４°回転するよう制御信号を出力する。
【００５５】
そして、アーム部１３が４°回転した状態において、制御部４０は、放射線源コントローラ３２および検出器コントローラ３３に対して放射線の照射と放射線画像信号の読出しを行うよう制御信号を出力する。そして、この制御信号に応じて、放射線源１７から放射線が射出され、乳房を４°方向から撮影した放射線画像が放射線画像検出器１５によって検出され、検出器コントローラ３３によって放射線画像信号が読み出され、所定の信号処理が施された後、コンピュータ２の放射線画像記憶部４１に記憶される。
【００５６】
そして、上述したようにして放射線画像記憶部４１に記憶された２枚の放射線画像信号は、放射線画像表示制御部４４によって読み出され、放射線画像表示制御部４４においてこれらの放射線画像信号に対して所定の処理が施された後、モニタ３に出力される。そして、モニタ３において、右目用放射線画像と左目用放射線画像とがそれぞれ表示されて乳房のステレオ画像が表示される（Ｓ１６）。図５は、右目用放射線画像と左目用放射線画像とステレオ画像との一例を模式的に示した図である。
【００５７】
また、このとき、図６に示すように、モニタ３において、スケール表示制御部４５によって右目用スケールＳＣ１と左目用スケールＳＣ２とが表示され、立体視可能なスケールＳＣ３が表示される（Ｓ１８）。具体的には、右目用スケールＳＣ１と左目用スケールＳＣ２とは所定の視差量を持って表示される。そして、図５に示すように、スケールＳＣ３が観察者から見て手前側から奥側（モニタ側）に向けて奥行きを持って表示されるように、右目用スケールＳＣ１と左目用スケールＳＣ２とは互いに傾くように表示され、視差量が奥側に向けて次第に大きくなるように表示される。さらに、本実施形態においては、乳房のステレオ画像の一番手前側の位置を基準（０）とし、奥側に向けてその奥行量が数値として表示される。より具体的には、乳房の圧迫厚を５等分した分割位置に奥行量が数値として表示される。
【００５８】
次に、上述したようにして乳房のステレオ画像とスケールＳＣ３とが表示された後、観察者が乳房画像の拡大画像または縮小画像を観察したいと思った場合には、観察者によって入力部４を用いて拡縮率と拡縮表示指示とが入力される（Ｓ２０）。そして、この入力に応じて拡縮処理部４２において２枚の放射線画像信号に対して拡大処理または縮小処理が施される（Ｓ２２）。また、このとき乳房画像のサイズとスケールの目盛との関係が維持されるように右目用スケールＳＣ１と左目用スケールＳＣ２に対しても同じ拡縮率で拡縮処理が施される。すなわち、放射線画像信号に拡大処理が施される場合には、右目用スケールＳＣ１と左目用スケールＳＣ２の目盛の幅が大きくなるように拡大処理され、放射線画像信号に縮小処理が施される場合には、右目用スケールＳＣ１と左目用スケールＳＣ２の目盛の幅が小さくなるように縮小処理が施される。
【００５９】
ここで、上述したように拡大処理または縮小処理を施した２枚の放射線画像信号に基づいて乳房のステレオ画像を表示した場合、たとえば、拡大処理の場合には、拡大処理にともなって２枚の放射線画像の視差量も拡大されて大きくなるので、図６に示すように、拡大前のステレオ画像よりも拡大後のステレオ画像の方が、モニタの表示面から手前に向かって飛び出して見えることになる。逆に、縮小処理の場合には、縮小処理にともなって２枚の放射線画像の視差量も縮小されて小さくなるので、図６に示すように、縮小前のステレオ画像よりも縮小後のステレオ画像の方が、奥側に向かって遠ざかって見えることになる。
【００６０】
このように拡大処理または縮小処理によってステレオ画像の飛び出し量が変化すると、観察者は継続して立体視をすることが困難となり、非常に見づらいものとなるとともに、疲労をともなうことになる。
【００６１】
そこで、本実施形態においては、拡縮処理による飛び出し量の急激な変化を生じないように拡大処理または縮小処理の施された放射線画像信号に対して、シフト処理部４３においてシフト処理が施される（Ｓ２４）。具体的には、拡大処理が施された２枚の放射線画像信号に対しては、図７に示すように右目用放射線画像と左目用放射線画像との視差量が小さくなるようにシフト処理が施される。より具体的には、拡大後の右目用放射線画像と左目用放射線画像との視差量が、拡大前の右目用放射線画像と左目用放射線画像との視差量と同じになるようにシフト処理が施される。逆に、縮小処理が施された２枚の放射線画像信号に対しては、右目用放射線画像と左目用放射線画像との視差量が大きくなるようにシフト処理が施される。より具体的には、縮小後の右目用放射線画像と左目用放射線画像との視差量が、縮小前の右目用放射線画像と左目用放射線画像との視差量と同じになるようにシフト処理が施される。
【００６２】
また、上述したシフト処理は、ステレオ画像とスケールＳＣ３との相対的な関係が維持されるように、右目用放射線画像と左目用放射線画像とだけでなく右目用スケールＳＣ１と左目用スケールＳＣ２とに対しても施される。
【００６３】
そして、放射線画像表示制御部４４は、上述したようにシフト処理の施された放射線画像信号に基づいて、モニタ３において、拡大または縮小された右目用放射線画像と左目用放射線画像とをそれぞれ表示させて拡大または縮小された乳房のステレオ画像を表示させる（Ｓ２６）。図８は、拡大された右目用放射線画像と左目用放射線画像とステレオ画像との一例を模式的に示した図である。
【００６４】
上述したようにシフト処理を施すようにしたので、図５に示す拡大前のステレオ画像の飛び出し量Ｚ１と、図８に示す拡大後のステレオ画像の飛び出し量Ｚ２とを同じにすることができ、観察者は拡大前と拡大後とで継続して立体視を行うことができる。
【００６５】
また、図９は、拡縮前のステレオ画像と、拡大後のステレオ画像と、縮小後のステレオ画像とを側方からみたときのイメージ図である。図９に示すように、縮小後のステレオ画像の飛び出し量Ｚ３も縮小前のステレオ画像の飛び出し量Ｚ１と同じにすることができる。
【００６６】
また、上述したように拡大または縮小されたステレオ画像が表示される際、図８および図９に示すように、スケール表示制御部４５によって拡大された右目用スケールＳＣ１’と左目用スケールＳＣ２’または縮小された右目用スケールＳＣ１”と左目用スケールＳＣ２”とが表示され、これにより拡大された立体視可能なスケールＳＣ３’または縮小された立体視可能なスケールＳＣ３”が表示される（Ｓ２８）。このようにして拡大された立体視可能なスケールＳＣ３’または縮小された立体視可能なスケールＳＣ３”を表示することによって、拡大されたステレオ画像のサイズとスケールＳＣ３’の目盛との相対的な関係や縮小されたステレオ画像のサイズとスケールＳＣ３”の目盛との相対的な関係を維持することができので、観察者は、奥行方向（Ｚ方向）の所定の２点間の距離を容易かつ正確に把握することができる。
【００６７】
なお、上記実施形態の乳房画像撮影表示システムにおいては、乳房のステレオ画像と立体視可能なスケールとを互いに異なる色で表示するようにしてもよい。すなわち、乳房のステレオ画像が白黒表示である場合には、たとえばスケールをカラー表示にすることによってスケールを認識し易くするようにしてもよい。
【００６８】
また、上記実施形態の乳房画像撮影表示システムにおいては、立体視可能なスケールの表示位置を任意に変更可能としてもよい。たとえば、入力部４においてスケールの表示位置の入力を受け付け、スケール表示制御部４５が、その入力された表示位置に応じてスケールを表示させるようにしてもよい。また、入力部４が、マウスのようなポインティングデバイスを備えている場合には、そのマウスによってスケールをドラッグすることによってスケールの位置を任意に変更可能にしてもよい。このようにスケールの位置を任意に変更可能にすることによって、所定の注目部位の計測に適した位置にスケールを配置させることができるとともに、まだ、放射線画像の観察に邪魔になるような場合には、スケールを放射線画像から離れた位置に配置させることができる。また、このような場合、所定の入力操作によってスケールを一時的に消すようにしてもよい。
【００６９】
なお、上記実施形態においては、本発明の立体視画像表示装置を乳房画像撮影表示システムに適用するようにしたが、被写体は乳房に限定されるものではなく、乳房以外の胸部撮影用などのいわゆる一般撮影用の放射線画像撮影装置に適用するようにしてもよい。
【符号の説明】
【００７０】
１     乳房画像撮影装置
２     コンピュータ
３     モニタ
４     入力部
１５   放射線画像検出器
１６   放射線源ユニット
１７   放射線源
１８   圧迫板
４１   放射線画像記憶部
４２   拡縮処理部
４３   シフト処理部
４４   放射線画像表示制御部
４５   スケール表示制御部
【図１】
2012247685.tif 000003
【図２】
2012247685.tif 000004
【図３】
2012247685.tif 000005
【図４】
2012247685.tif 000006
【図６】
2012247685.tif 000007
【図９】
2012247685.tif 000008
【図５】
2012247685.tif 000009
【図７】
2012247685.tif 000010
【図８】
2012247685.tif 000011